(57)【要約】      （修正有）【課題】簡易に設営かつコンパクトに収納できる、飛沫感染を防止可能な麻雀卓用パーティションを提供する。【解決手段】４つの支柱２ａと、麻雀卓のテーブルの対角線に沿う方向に４つの棒状部２ｂ１を有し先端で支柱を連結する支柱連結部材２ｂとからなり、支柱を麻雀卓のテーブルの角部の外側に配置した状態で麻雀卓を囲む支柱枠２と、４枚の透明シート３と、４枚の透明シートを一方の側の短辺縁部の上端近傍と下端近傍とで綴じる２つの綴じ具４と、支柱と棒状部に取り付けられた、透明シートを把持する複数の止め具５と、支柱連結部材に設けられた、上側の綴じ具の吊り下げ部材と、を備えてなり、夫々の透明シートが麻雀卓のテーブルの対角線に沿う、該対角線の中心を挟む４方向の面を遮蔽し、夫々の透明シートと麻雀卓のテーブルとの間に、牌を把持した手を移動させることの可能な隙間ができるようにした。【選択図】図１
0003228300.tif 000002
【実用新案登録請求の範囲】
【請求項１】
４つの支柱と、麻雀卓のテーブルの対角線に沿う、該対角線の中心を挟む４方向に４つの棒状部を有し夫々の該棒状部の先端で夫々の前記支柱の上端を連結する支柱連結部材と、からなり、夫々の前記支柱を麻雀卓のテーブルの４つの角部の外側に配置した状態で麻雀卓を囲むことのできる大きさを有する支柱枠と、
長辺が麻雀卓のテーブルの対角線の略半分の長さを有し、短辺が少なくとも人間の頭部から胸部までを覆う長さを有する矩形状に形成された４枚の透明シートと、
４枚の前記透明シートを、一方の側の短辺縁部の上端近傍位置と下端近傍位置とで綴じる２つの綴じ具と、
夫々の前記支柱と夫々の前記棒状部に取り付けられていて、夫々の前記透明シートにおける前記綴じ具で綴じられていない側の短辺縁部及び上側の長辺縁部を把持する複数の止め具と、
前記支柱連結部材における前記棒状部が交差する中央部に設けられた、４枚の前記透明シートを綴じている上側の前記綴じ具を吊り下げる、吊り下げ部材と、
を備えてなり、
前記支持枠が前記支柱を麻雀卓のテーブルの４つの角部の外側に配置した状態で麻雀卓を囲んだときに、夫々の前記透明シートが麻雀卓のテーブルの対角線に沿う、該対角線の中心を挟む４方向の面を遮蔽し、かつ、夫々の前記透明シートの下側の長辺縁部と前記麻雀卓のテーブルの上面との間に、牌を把持した手を移動させることの可能な隙間ができるようにしたことを特徴とする麻雀卓用パーティション。
【請求項２】
夫々の前記支柱は、伸縮可能に構成されていることを特徴とする請求項１に記載の麻雀卓用パーティション。
【請求項３】
前記支柱連結部材は、夫々の前記棒状部の先端が夫々の前記支柱の上端を取り付け可能に構成されていることを特徴とする請求項１または２に記載の麻雀卓用パーティション。
【請求項４】
夫々の前記透明シートは、一方の側の短辺縁部の上端近傍位置と下端近傍位置とに綴じ穴を有し、
夫々の前記綴じ具は、夫々の前記透明シートに形成された綴じ穴を通る開閉可能なリング部材を有することを特徴とする請求項１〜３に記載の麻雀卓用パーティション。
【考案の詳細な説明】
【技術分野】
【０００１】
本考案は、麻雀卓用パーティションに関する。
【背景技術】
【０００２】
麻雀は、４人の人間が麻雀卓を囲んで行うテーブルゲームである。麻雀卓には、座卓用や椅子卓用等、テーブルの高さが様々なものや、洗牌（牌の混ぜ合わせ）や砌牌（牌を並べる作業）を自動で行うもの（自動麻雀卓）が知られている。
【考案の概要】
【考案が解決しようとする課題】
【０００３】
最近、新型コロナウイルス感染症が世界的に拡大し、人間の社会的、経済的な活動に大
きな被害を与えている。ワクチンの開発や、社会的免疫の獲得等により、新型コロナウイルス感染症が収束するまでの間、感染防止のためには、感染リスクが高いと考えられる密閉（換気の悪い密閉空間）、密集（多くの人が密集）、密接（互いに手を伸ばしたら届く距離での会話や共同行為）を回避することが求められ、特に、密集・密接による飛沫感染のリスクを避けることが求められている。
【０００４】
しかるに、麻雀は、４人の人間が牌を用いて麻雀卓を囲んで行うため、密接状態となり易い。
このため、麻雀荘等の麻雀を行う場所においては、換気の工夫による密閉の回避はもちろんのこと、特に、対面による飛沫感染のリスクを避けるための対策が必要となっている。
【０００５】
対面による飛沫感染のリスクを避けるための対策として、店舗のレジ等では、透明シートを設営して購買者と店員とが対面する空間を遮蔽することが行われている。
しかし、４人の人間が麻雀卓を囲む麻雀の場合、店舗のレジ等とは異なり、麻雀卓を囲む４つの空間を遮蔽する必要がある。このため、一般的な店舗のレジ等で用いられているような平板状の透明シートをそのまま用いることができない。
また、飛沫感染のリスクを避けるためには、随時、透明シートを取り替えたり、除菌する必要がある。このため、透明シートは、簡単に着脱できることが望まれる。
【０００６】
また、ワクチンの開発や、社会的免疫の獲得等により、新型コロナウイルス感染症が収束した場合、飛沫感染のリスクを避けるために設営した透明シートが不要となることが考えられる。ただし、ウイルスによる感染症は、今後も不定期に発生する恐れがある。このため、感染症の問題が発生する毎に、随時、設営し、感染症の問題がないときには、収納できるようにすることが望まれる。
【０００７】
本考案は、上記問題点を鑑みてなされたものであり、簡易に設営でき、かつ、コンパクトに収納できる、飛沫感染を防止可能な麻雀卓用パーティションを提供することを目的としている。
【課題を解決するための手段】
【０００８】
上記目的を達成するため、本考案による麻雀卓用パーティションは、４つの支柱と、麻雀卓のテーブルの対角線に沿う、該対角線の中心を挟む４方向に４つの棒状部を有し夫々の該棒状部の先端で夫々の前記支柱の上端を連結する支柱連結部材と、からなり、夫々の前記支柱を麻雀卓のテーブルの４つの角部の外側に配置した状態で麻雀卓を囲むことのできる大きさを有する支柱枠と、長辺が麻雀卓のテーブルの対角線の略半分の長さを有し、短辺が少なくとも人間の頭部から胸部までを覆う長さを有する矩形状に形成された４枚の透明シートと、４枚の前記透明シートを、一方の側の短辺縁部の上端近傍位置と下端近傍位置とで綴じる２つの綴じ具と、夫々の前記支柱と夫々の前記棒状部に取り付けられていて、夫々の前記透明シートにおける前記綴じ具で綴じられていない側の短辺縁部及び上側の長辺縁部を把持する複数の止め具と、前記支柱連結部材における前記棒状部が交差する中央部に設けられた、４枚の前記透明シートを綴じている上側の前記綴じ具を吊り下げる、吊り下げ部材と、を備えてなり、前記支持枠が前記支柱を麻雀卓のテーブルの４つの角部の外側に配置した状態で麻雀卓を囲んだときに、夫々の前記透明シートが麻雀卓のテーブルの対角線に沿う、該対角線の中心を挟む４方向の面を遮蔽し、かつ、夫々の前記透明シートの下側の長辺縁部と前記麻雀卓のテーブルの上面との間に、牌を把持した手を移動させることの可能な隙間ができるようにしたことを特徴とする。
【０００９】
また、本考案の麻雀卓用パーティションコンバインにおいては、夫々の前記支柱は、伸縮可能に構成されているのが好ましい。
【００１０】
また、本考案の麻雀卓用パーティションコンバインにおいては、前記支柱連結部材は、夫々の前記棒状部の先端が夫々の前記支柱の上端を取り付け可能に構成されているのが好ましい。
【００１１】
また、本考案の麻雀卓用パーティションコンバインにおいては、夫々の前記透明シートは、一方の側の短辺縁部の上端近傍位置と下端近傍位置とに綴じ穴を有し、夫々の前記綴じ具は、夫々の前記透明シートに形成された綴じ穴を通る開閉可能なリング部材を有するのが好ましい。
【考案の効果】
【００１２】
本考案によれば、簡易に設営でき、かつ、コンパクトに収納できる、飛沫感染を防止可能な麻雀卓用パーティションが得られる。
【図面の簡単な説明】
【００１３】
【図１】本考案の第１実施形態に係る麻雀卓用パーティションの全体構成を概略的に示す、麻雀卓用パーティションを麻雀卓のテーブルの辺に対応する側からみた図である。
【図２】本考案の第１実施形態に係る麻雀卓用パーティションを麻雀卓のテーブルの角部に対応する側からみた説明図で、(a)は支柱の長さが座卓用に調整された状態を示す図、(b)は支柱の長さが椅子卓用に調整された状態を示す図である。
【図３】本考案の第１実施形態に係る麻雀卓用パーティションにおける支柱枠を構成する支柱及び支柱連結部材、透明シートを分解して示す説明図で、 (a)は支柱を収納時の長さに調整したときの側面図、(b)は支柱連結部材の上面図、(c)は支柱連結部材を斜め下側からみた図、(d)は透明シートの平面図である。
【図４】図１の麻雀卓用パーティションを麻雀卓用にセットした状態の一例を示す説明図である。
【考案を実施するための形態】
【００１４】
実施形態の説明に先立ち、本考案の作用効果について説明する。
本考案の麻雀卓用パーティションは、４つの支柱と、麻雀卓のテーブルの対角線に沿う、該対角線の中心を挟む４方向に４つの棒状部を有し夫々の該棒状部の先端で夫々の支柱の上端を連結する支柱連結部材と、からなり、夫々の支柱を麻雀卓のテーブルの４つの角部の外側に配置した状態で麻雀卓を囲むことのできる大きさを有する支柱枠と、長辺が麻雀卓のテーブルの対角線の略半分の長さを有し、短辺が少なくとも人間の頭部から胸部までを覆う長さを有する矩形状に形成された４枚の透明シートと、４枚の透明シートを、一方の側の短辺縁部の上端近傍位置と下端近傍位置とで綴じる２つの綴じ具と、夫々の支柱と夫々の棒状部に取り付けられていて、夫々の透明シートにおける綴じ具で綴じられていない側の短辺縁部及び上側の長辺縁部を把持する複数の止め具と、支柱連結部材における棒状部が交差する中央部に設けられた、４枚の透明シートを綴じている上側の綴じ具を吊り下げる、吊り下げ部材と、を備えてなり、支持枠が支柱を麻雀卓のテーブルの４つの角部の外側に配置した状態で麻雀卓を囲んだときに、夫々の透明シートが麻雀卓のテーブルの対角線に沿う、該対角線の中心を挟む４方向の面を遮蔽し、かつ、夫々の透明シートの下側の長辺縁部と麻雀卓のテーブルの上面との間に、牌を把持した手を移動させることの可能な隙間ができるようにしている。
【００１５】
本考案の麻雀卓用パーティションのように、支持枠が支柱を麻雀卓のテーブルの４つの角部の外側に配置した状態で麻雀卓を囲んだときに、夫々の透明シートが麻雀卓のテーブルの対角線に沿う、該対角線の中心を挟む４方向の面を遮蔽し、かつ、夫々の透明シートの下側の長辺縁部と麻雀卓のテーブルの上面との間に、牌を把持した手を移動させることの可能な隙間ができるようにすれば、麻雀をするのに支障なく、麻雀卓を囲む人間の飛沫感染を防止することができる。
【００１６】
また、本考案の麻雀卓用パーティションのように、４枚の透明シートが一方の側の短辺縁部の上端近傍位置と下端近傍位置とで綴じる２つの綴じ具によって綴じられるようにすれば、麻雀を行う際に、中央の視界が遮られずに済む。
【００１７】
また、本考案の麻雀卓用パーティションのように、２つの綴じ具によって綴じられた４枚の透明シートを、複数の止め具によって把持されるようにすれば、支柱枠から４枚の透明シートを簡単に取り外すことができ、透明シートの洗浄、除菌・消毒がし易くなる。
【００１８】
また、本考案の麻雀卓用パーティションにおいては、夫々の支柱は、伸縮可能に構成されているのが好ましい。
このようにすれば、座卓用や椅子卓用等、テーブルの高さが異なる麻雀卓に汎用できるようになる。また、不使用時に支柱を短くしてコンパクト化できるようになる。
【００１９】
また、本考案の麻雀卓用パーティションにおいては、支柱連結部材は、夫々の棒状部の先端が夫々の支柱の上端を取り付け可能に構成されているのが好ましい。
このようにすれば、支柱枠を４つの支柱と支柱連結部材とに分解して、コンパクトに収納できるようになる。
【００２０】
また、本考案の麻雀卓用パーティションにおいては、夫々の透明シートは、一方の側の短辺縁部の上端近傍位置と下端近傍位置とに綴じ穴を有し、夫々の綴じ具は、夫々の透明シートに形成された綴じ穴を通る開閉可能なリング部材を有するのが好ましい。
このようにすれば、麻雀卓に使用するときに、４枚の透明シートを麻雀卓のテーブルの対角線に沿う、該対角線の中心を挟む４方向の面に沿うように移動させ易くなる。また、使用後において、支柱枠から４枚の透明シートを取り外した後、さらに、透明シートをリング部材から１枚ずつ取り外すことができ、透明シートの洗浄、除菌・消毒がより一層し易くなる。
また、支柱枠から４枚の透明シートを取り外した状態において、リング部材を介して綴じられている４枚の透明シートが１枚の大きさに重なるため、収納時に４枚の透明シートを折り畳んでコンパクト化し易くなる。
【００２１】
以下、図面を参照して、本考案を実施するための形態の説明を行う。
第１実施形態
図１は本考案の第１実施形態に係る麻雀卓用パーティションの全体構成を概略的に示す、麻雀卓用パーティションを麻雀卓のテーブルの辺に対応する側からみた図である。図２は本考案の第１実施形態に係る麻雀卓用パーティションを麻雀卓のテーブルの角部に対応する側からみた説明図で、(a)は支柱の長さが座卓用に調整された状態を示す図、(b)は支柱の長さが椅子卓用に調整された状態を示す図である。図３は本考案の第１実施形態に係る麻雀卓用パーティションにおける支柱枠を構成する支柱及び支柱連結部材、透明シートを分解して示す説明図で、(a)は支柱を収納時の長さに調整したときの側面図、(b)は支柱連結部材の上面図、(c)は支柱連結部材を斜め下側からみた図、(d)は透明シートの平面図である。図４は図１の麻雀卓用パーティションを麻雀卓用にセットした状態の一例を示す説明図である。
【００２２】
本実施形態の麻雀卓用パーティション１は、図１、図３(c)に示すように、支柱枠２と、４枚の透明シート３と、２つの綴じ具４と、複数の止め具５と、吊り下げ部材６と、を備えている。
支柱枠２は、４つの支柱２ａと、支柱連結部材２ｂと、で構成されている。
夫々の支柱２ａは、２つのパイプ状部材からなり、内部に杖に用いられている公知の長さ調整機構が備えられており、図２に示すように、座卓用（図２(a)）、椅子卓用（図２(b)）の麻雀卓に応じて、伸縮可能に構成されている。なお、図１、図２(a)、図２(b)中、２ａ１は、長さ調整した２つのパイプ状部材のガタを抑えるガタ止めネジである。
また、本例では、夫々の支柱２ａを構成する２つのパイプ状部材のうち、上側のパイプ状部材は、図３(a)に示すように、上部が９０度に曲がった形状に形成されている。なお、図１、図３(a)中、２ａ２は、上側のパイプ状部材の曲がった部位を補強する補強部材である。
支柱連結部材２ｂは、図１、図３(b)に示すように、麻雀卓のテーブルの対角線に沿う、該対角線の中心を挟む４方向に４つの棒状部２ｂ１を有している。
夫々の棒状部２ｂ１は、先端が、夫々の支柱２ａの上端を取り付け可能に構成されている。なお、図３(b)中、２ｂ１１は、棒状部２ｂ１に取り付けた支柱２ａのガタを抑えるガタ止めネジである。
また、棒状部２ｂ１が交差する中央部には、２枚の板状の固定部材２ｂ２が、棒状部２ｂ１を上下方向から挟んだ状態で、螺子を介して固定している。
そして、支柱連結部材２ｂは、夫々の棒状部２ｂ１の先端で夫々の支柱２ａの上端を連結している。
４枚の透明シート３は、難燃性の高いプラスチック材料（例えば、難燃性を付与したポリプロピレン）で作製されている。
夫々の透明シート３は、図３(d)に示すように、長辺が麻雀卓のテーブルの対角線の略半分の長さを有し、短辺が少なくとも人間の頭部から胸部までを覆う長さを有する矩形状に形成されている。
また、夫々の透明シート３は、一方の側の短辺縁部の上端近傍位置と下端近傍位置とに、綴じ穴３ａを有している。
夫々の綴じ具４は、夫々の透明シート３に形成された綴じ穴３ａを通る開閉可能なリング部材４ａを有している。
そして、２つの綴じ具４は、４枚の透明シート３を、一方の側の短辺縁部の上端近傍位置と下端近傍位置とで綴じている。
なお、図３(d)では、便宜上、綴じ穴３ａを透明シート３における一方の側の短辺縁部の下端近傍位置にのみ示し、綴じ具４を透明シート３における一方の側の短辺縁部の上端近傍位置にのみ示してある。
止め具５は、クリップで構成されている。クリップの後端には、図１に示すように、Ｃ形の止め輪部材７が設けられている。そして、止め具５は、夫々の透明シート３における綴じ具４で綴じられていない側の短辺縁部及び上側の長辺縁部を把持することができるように、支柱枠２における夫々の支柱２ａと夫々の棒状部２ｂ１に、止め輪部材７を介して取り付けられている。
吊り下げ部材６は、フックからなり、図３(c)に示すように、支柱連結部材２ｂにおける棒状部２ｂ１が交差する中央部下側の固定部材２ｂ２に設けられ、４枚の透明シート３を綴じている上側の綴じ具４（のリング部材４ａ）を吊り下げる。
【００２３】
そして、麻雀卓用パーティション１は、図４に示すように、支持枠２が支柱２ａを麻雀卓１０のテーブル１０ａの４つの角部の外側に配置した状態で麻雀卓１０を囲んだときに、夫々の透明シート３が麻雀卓１０のテーブル１０ａの対角線に沿う、該対角線の中心を挟む４方向の面を遮蔽し、かつ、夫々の透明シート３の下側の長辺縁部と麻雀卓１０のテーブル１０ａの上面との間に、牌を把持した手を移動させることの可能な隙間ができるようになっている。
【００２４】
本実施形態の麻雀卓用パーティション１によれば、支持枠２が支柱２ａを麻雀卓１０のテーブル１０ａの４つの角部の外側に配置した状態で麻雀卓１０を囲んだときに、夫々の透明シート３が麻雀卓１０のテーブル１０ａの対角線に沿う、該対角線の中心を挟む４方向の面を遮蔽し、かつ、夫々の透明シート３の下側の長辺縁部と麻雀卓１０のテーブル１０ａの上面との間に、牌を把持した手を移動させることの可能な隙間ができるようにしたので、麻雀をするのに支障なく、麻雀卓１０を囲む人間の飛沫感染を防止することができる。
【００２５】
また、本実施形態の麻雀卓用パーティション１によれば、４枚の透明シート３における２つの綴じ具４によって綴じられる位置を、一方の側の短辺縁部の上端近傍位置と下端近傍位置にしたので、麻雀を行う際に、中央の視界が遮られずに済む。
【００２６】
また、本実施形態の麻雀卓用パーティション１によれば、２つの綴じ具４によって綴じられた４枚の透明シート３を、複数の止め具５によって把持されるようにしたので、支柱枠２から４枚の透明シート３を簡単に取り外すことができ、透明シート３の洗浄、除菌・消毒がし易くなる。
【００２７】
また、本実施形態の麻雀卓用パーティション１によれば、夫々の支柱２ａを、伸縮可能に構成したので、座卓用や椅子卓用等、テーブルの高さが異なる麻雀卓１０に汎用できる。また、不使用時に支柱２ａを短くしてコンパクト化できるようになる。
【００２８】
また、本実施形態の麻雀卓用パーティション１によれば、支柱連結部材２ｂを、夫々の棒状部２ｂ１の先端が夫々の支柱２ａの上端を取り付け可能に構成したので、支柱枠２を４つの支柱２ａと支柱連結部材２ｂとに分解して、コンパクトに収納できる。
そして、夫々の支柱２ａの伸縮可能な構成と相俟って、より一層コンパクトに収納できる。
【００２９】
また、本実施形態の麻雀卓用パーティション１によれば、夫々の透明シート３が、一方の側の短辺縁部の上端近傍位置と下端近傍位置とに綴じ穴３ａを有し、夫々の綴じ具４が、夫々の透明シート３に形成された綴じ穴３ａを通る開閉可能なリング部材４ａを有するようにしたので、麻雀卓１０に使用するときに、４枚の透明シート３を麻雀卓１０のテーブル１０ａの対角線に沿う、該対角線の中心を挟む４方向の面に沿うように移動させ易くなる。また、使用後において、支柱枠２から４枚の透明シート３を取り外した後、さらに、透明シート３をリング部材４ａから１枚ずつ取り外すことができ、透明シート３の洗浄、除菌・消毒がより一層し易くなる。
また、支柱枠２から４枚の透明シート３を取り外した状態において、リング部材４ａを介して綴じられている４枚の透明シート３が１枚の大きさに重なるため、収納時に４枚の透明シート３を折り畳んでコンパクト化し易くなる。
【００３０】
したがって、本実施形態の麻雀卓用パーティション１によれば、簡易に設営でき、かつ、コンパクトに収納できる、飛沫感染を防止可能な麻雀卓用パーティションが得られる。
【００３１】
以上、本考案の麻雀卓用パーティションの実施形態を説明したが、本考案は、上記実施形態で示したものに限られるものではない。例えば、夫々の支柱２ａは、伸縮可能に構成されていなくてもよい。また、２つの綴じ具４により、４枚の透明シート３を、一方の側の短辺縁部の上端近傍位置と下端近傍位置とで綴じることができれば、透明シート３は、一方の側の短辺縁部の上端近傍位置と下端近傍位置とに綴じ穴３ａを有さず、２つの綴じ具４は、開閉可能なリング部材４ａを有さない構成であってもよい。また、止め具５を、クリップの代わりにフックで構成するとともに、夫々の透明シート３における綴じ具４で綴じられていない側の短辺縁部及び上側の長辺縁部の所定位置にフックが通る穴を形成し、その穴にフックを通すことによって、止め具５が夫々の透明シート３を把持するようにしてもよい。
【産業上の利用可能性】
【００３２】
本考案の麻雀卓用パーティションは、麻雀卓を使用する分野の他、テーブルを囲んで４人が対面し、飛沫感染のリスクが懸念される分野にも有用である。
【符号の説明】
【００３３】
１            麻雀卓用パーティション
２            支柱枠
２ａ          支柱
２ａ１、２ｂ１１        ガタ止めネジ
２ａ２        補強部材
２ｂ          支柱連結部材
２ｂ１        棒状部
２ｂ２        固定部材
３            透明シート
３ａ          綴じ穴
４            綴じ具
４ａ          リング部材
５            止め具
６            吊り下げ部材
７            止め輪部材
１０          麻雀卓
１０ａ        テーブル
【図１】
0003228300.tif 000003
【図２】
0003228300.tif 000004
【図３】
0003228300.tif 000005
【図４】
0003228300.tif 000006
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
４つの支柱と、麻雀卓のテーブルの対角線に沿う、該対角線の中心を挟む４方向に４つの棒状部を有し夫々の該棒状部の先端で夫々の前記支柱の上端を連結する支柱連結部材と、からなり、夫々の前記支柱を麻雀卓のテーブルの４つの角部の外側に配置した状態で麻雀卓を囲むことのできる大きさを有する支柱枠と、
長辺が麻雀卓のテーブルの対角線の略半分の長さを有し、短辺が少なくとも人間の頭部から胸部までを覆う長さを有する矩形状に形成された４枚の透明シートと、
４枚の前記透明シートを、一方の側の短辺縁部の上端近傍位置と下端近傍位置とで綴じる２つの綴じ具と、
夫々の前記支柱と夫々の前記棒状部に取り付けられていて、夫々の前記透明シートにおける前記綴じ具で綴じられていない側の短辺縁部及び上側の長辺縁部を把持する複数の止め具と、
前記支柱連結部材における前記棒状部が交差する中央部に設けられた、４枚の前記透明シートを綴じている上側の前記綴じ具を吊り下げる、吊り下げ部材と、
を備えてなり、
前記支柱枠が前記支柱を麻雀卓のテーブルの４つの角部の外側に配置した状態で麻雀卓を囲んだときに、夫々の前記透明シートが麻雀卓のテーブルの対角線に沿う、該対角線の中心を挟む４方向の面を遮蔽し、かつ、夫々の前記透明シートの下側の長辺縁部と前記麻雀卓のテーブルの上面との間に、牌を把持した手を移動させることの可能な隙間ができるようにしたことを特徴とする麻雀卓用パーティション。
【請求項２】
夫々の前記支柱は、伸縮可能に構成されていることを特徴とする請求項１に記載の麻雀卓用パーティション。
【請求項３】
前記支柱連結部材は、夫々の前記棒状部の先端が夫々の前記支柱の上端を取り付け可能に構成されていることを特徴とする請求項１または２に記載の麻雀卓用パーティション。
【請求項４】
夫々の前記透明シートは、一方の側の短辺縁部の上端近傍位置と下端近傍位置とに綴じ穴を有し、
夫々の前記綴じ具は、夫々の前記透明シートに形成された綴じ穴を通る開閉可能なリング部材を有することを特徴とする請求項１〜３に記載の麻雀卓用パーティション。
【手続補正２】
【補正対象書類名】明細書
【補正対象項目名】０００８
【補正方法】変更
【補正の内容】
【０００８】
上記目的を達成するため、本考案による麻雀卓用パーティションは、４つの支柱と、麻雀卓のテーブルの対角線に沿う、該対角線の中心を挟む４方向に４つの棒状部を有し夫々の該棒状部の先端で夫々の前記支柱の上端を連結する支柱連結部材と、からなり、夫々の前記支柱を麻雀卓のテーブルの４つの角部の外側に配置した状態で麻雀卓を囲むことのできる大きさを有する支柱枠と、長辺が麻雀卓のテーブルの対角線の略半分の長さを有し、短辺が少なくとも人間の頭部から胸部までを覆う長さを有する矩形状に形成された４枚の透明シートと、４枚の前記透明シートを、一方の側の短辺縁部の上端近傍位置と下端近傍位置とで綴じる２つの綴じ具と、夫々の前記支柱と夫々の前記棒状部に取り付けられていて、夫々の前記透明シートにおける前記綴じ具で綴じられていない側の短辺縁部及び上側の長辺縁部を把持する複数の止め具と、前記支柱連結部材における前記棒状部が交差する中央部に設けられた、４枚の前記透明シートを綴じている上側の前記綴じ具を吊り下げる、吊り下げ部材と、を備えてなり、前記支柱枠が前記支柱を麻雀卓のテーブルの４つの角部の外側に配置した状態で麻雀卓を囲んだときに、夫々の前記透明シートが麻雀卓のテーブルの対角線に沿う、該対角線の中心を挟む４方向の面を遮蔽し、かつ、夫々の前記透明シートの下側の長辺縁部と前記麻雀卓のテーブルの上面との間に、牌を把持した手を移動させることの可能な隙間ができるようにしたことを特徴とする。
【手続補正３】
【補正対象書類名】明細書
【補正対象項目名】００１４
【補正方法】変更
【補正の内容】
【００１４】
実施形態の説明に先立ち、本考案の作用効果について説明する。
本考案の麻雀卓用パーティションは、４つの支柱と、麻雀卓のテーブルの対角線に沿う、該対角線の中心を挟む４方向に４つの棒状部を有し夫々の該棒状部の先端で夫々の支柱の上端を連結する支柱連結部材と、からなり、夫々の支柱を麻雀卓のテーブルの４つの角部の外側に配置した状態で麻雀卓を囲むことのできる大きさを有する支柱枠と、長辺が麻雀卓のテーブルの対角線の略半分の長さを有し、短辺が少なくとも人間の頭部から胸部までを覆う長さを有する矩形状に形成された４枚の透明シートと、４枚の透明シートを、一方の側の短辺縁部の上端近傍位置と下端近傍位置とで綴じる２つの綴じ具と、夫々の支柱と夫々の棒状部に取り付けられていて、夫々の透明シートにおける綴じ具で綴じられていない側の短辺縁部及び上側の長辺縁部を把持する複数の止め具と、支柱連結部材における棒状部が交差する中央部に設けられた、４枚の透明シートを綴じている上側の綴じ具を吊り下げる、吊り下げ部材と、を備えてなり、支柱枠が支柱を麻雀卓のテーブルの４つの角部の外側に配置した状態で麻雀卓を囲んだときに、夫々の透明シートが麻雀卓のテーブルの対角線に沿う、該対角線の中心を挟む４方向の面を遮蔽し、かつ、夫々の透明シートの下側の長辺縁部と麻雀卓のテーブルの上面との間に、牌を把持した手を移動させることの可能な隙間ができるようにしている。
【手続補正４】
【補正対象書類名】明細書
【補正対象項目名】００１５
【補正方法】変更
【補正の内容】
【００１５】
本考案の麻雀卓用パーティションのように、支柱枠が支柱を麻雀卓のテーブルの４つの角部の外側に配置した状態で麻雀卓を囲んだときに、夫々の透明シートが麻雀卓のテーブルの対角線に沿う、該対角線の中心を挟む４方向の面を遮蔽し、かつ、夫々の透明シートの下側の長辺縁部と麻雀卓のテーブルの上面との間に、牌を把持した手を移動させることの可能な隙間ができるようにすれば、麻雀をするのに支障なく、麻雀卓を囲む人間の飛沫感染を防止することができる。
【手続補正５】
【補正対象書類名】明細書
【補正対象項目名】００２３
【補正方法】変更
【補正の内容】
【００２３】
そして、麻雀卓用パーティション１は、図４に示すように、支柱枠２が支柱２ａを麻雀卓１０のテーブル１０ａの４つの角部の外側に配置した状態で麻雀卓１０を囲んだときに、夫々の透明シート３が麻雀卓１０のテーブル１０ａの対角線に沿う、該対角線の中心を挟む４方向の面を遮蔽し、かつ、夫々の透明シート３の下側の長辺縁部と麻雀卓１０のテーブル１０ａの上面との間に、牌を把持した手を移動させることの可能な隙間ができるようになっている。
【手続補正６】
【補正対象書類名】明細書
【補正対象項目名】００２４
【補正方法】変更
【補正の内容】
【００２４】
本実施形態の麻雀卓用パーティション１によれば、支柱枠２が支柱２ａを麻雀卓１０のテーブル１０ａの４つの角部の外側に配置した状態で麻雀卓１０を囲んだときに、夫々の透明シート３が麻雀卓１０のテーブル１０ａの対角線に沿う、該対角線の中心を挟む４方向の面を遮蔽し、かつ、夫々の透明シート３の下側の長辺縁部と麻雀卓１０のテーブル１０ａの上面との間に、牌を把持した手を移動させることの可能な隙間ができるようにしたので、麻雀をするのに支障なく、麻雀卓１０を囲む人間の飛沫感染を防止することができる。